(57)【要約】【課題】  窯業系の下地板は、吸水等による変形が、さらに寒冷地においては吸水に起因する凍結・融解による下地板の破壊等が発生することがあり、また、金属板に硬質フォーム材を裏打ちした下地板を用いても、複合板故の変形が発生し、外装板としての機能をも損なっていることがある。【解決手段】  下地板の掛止片にタイルを掛止して、タイルを配列・固定して壁面を形成していく取付方法であって、化粧面と化粧面裏面と下方の足とから構成されたタイル、並びに、表面材と硬質フォーム材と裏面材とから一体化され、幅方向の上下に嵌合部を設け、表面材側に掛止部及び固定用凹部を有した掛止片を設けた下地板とを用い、固定用凹部に固定具を打ち込んで壁下地に固定し、タイルの引掛け片を掛止片に掛止する取付方法、さらに、上記の取付方法において、タイルの引掛け片を下地板の掛止片に掛止すると共に、タイルの一部分と下地板の表面材とを接着剤で固定する。【選択図】    図１
2005282117.tif 000002
【特許請求の範囲】
【請求項１】
壁下地に下地板を固定し、下地板の掛止片にタイルを掛止して、タイルを配列・固定して壁面を形成していくタイルの取付方法であって、化粧面と化粧面裏面と化粧面裏面側に設けた下方の足及び引掛け片を兼ねる上方の足とから構成されたタイル、並びに、表面材と硬質フォーム材と裏面材とから一体化され、幅方向の上下に嵌合部を設け、表面材側に掛止部及び固定用凹部を有した掛止片の複数列を設けた下地板とを用い、下地板の固定用凹部に固定具を打ち込んで下地板を壁下地に固定し、タイルの引掛け片を下地板の掛止片に引掛けて掛止することを特徴とするタイルの取付方法。
【請求項２】
請求項１のタイルの取付方法において、タイルの引掛け片を下地板の掛止片に引掛けて掛止すると共に、タイルの一部分と下地板の表面材とを接着剤で固定することを特徴とするタイルの取付方法。
【発明の詳細な説明】
【技術分野】
【０００１】
本発明はタイルを直接、釘等の固定具で打設することなく、タイルを壁下地に簡単に施工できるタイルの取付方法に関するものである。
【背景技術】
【０００２】
一般的に、タイルは裏面にある係止鉤をセメント板や珪酸カルシウム板に代表される窯業系の下地板の掛止爪に掛止して壁面を形成している。（例えば、特許文献１参照）。
また、施工性が良く断熱性能に優れた下地板として、金属板に硬質プラスチックフォーム材を裏打ちした下地板が提案されている。（例えば、特許文献２参照）。
【０００３】
【特許文献１】特開平６−２４８７８０号公報
【特許文献２】特開平８−１２０８８９号公報
【発明の開示】
【発明が解決しようとする課題】
【０００４】
しかし、窯業系の下地板を用いた施工方法では、下地板は吸水等による変形（反り等）が、さらに寒冷地においては吸水に起因する凍結・融解による下地板の破壊等が発生することがあり、美観を損なうだけではなく、風、雨水等の浸入の基となり、外装板としての機能をも損なうものである。
また、金属板に硬質プラスチックフォーム材を裏打ちした下地板を用いても、複合板故の変形（反り等）が発生し、やはり、美観を損なうだけではなく、風、雨水等の浸入の基となり、外装板としての機能をも損なうものである。
【課題を解決するための手段】
【０００５】
本発明では、上記の課題を解決するために、壁下地に下地板を固定し、下地板の掛止片にタイルを掛止して、タイルを配列・固定して壁面を形成していくタイルの取付方法であって、化粧面と化粧面裏面と化粧面裏面側に設けた下方の足及び引掛け片を兼ねる上方の足とから構成されたタイル、並びに、表面材と硬質フォーム材と裏面材とから一体化され、幅方向の上下に嵌合部を設け、表面材側に掛止部及び固定用凹部を有した掛止片の複数列を設けた下地板とを用い、下地板の固定用凹部に固定具を打ち込んで下地板を壁下地に固定し、タイルの引掛け片を下地板の掛止片に引掛けて掛止する取付方法、さらに、上記の取付方法において、タイルの引掛け片を下地板の掛止片に引掛けて掛止すると共に、タイルの一部分と下地板の表面材とを接着剤で固定する。
【発明の効果】
【０００６】
本発明の取付方法によれば、下地板に設けた固定部に固定具を打ち込んで壁下地に固定することで下地板の変形を抑えることができるので、下地板の変形によりタイルの美観を損なうことがなく、また外装板としての機能を確保することができる。また、下地板にタイルを引掛けるだけなので施工がきわめて容易で、さらに、接着剤で固定すれば取付強度がより向上する。
【発明を実施するための最良の形態】
【０００７】
以下に図面を用いて、本発明に係るタイルの取付方法の代表的な実施例について説明する。図１は本実施例により施工された壁面の断面を示す説明図、図２は本実施例に用いた下地板１００の断面を示す説明図、図３（ａ）は本実施例に用いたタイル２００の断面を示す説明図、そして図３（ｂ）はタイル２００の説明図である。
【０００８】
下地板１００は図２に示すように、表面材１１０と硬質フォーム材１２０と裏面材１３０とを一体化したもので、幅方向の上下に雌雄嵌合のための嵌合部１５１と１５２とをそれぞれ設け、その表面材１１０側に固定具を打つための固定用凹部１１７とタイルを掛止するための掛止部１１６とからなり、長手方向に連続した掛止片１１５の複数列を設けている。固定用凹部１１７は固定具を打つ位置のガイドとなると共に、固定具の頭が突出してタイルの固定を妨げないように凹状になっている。また、図２に示したＱは止水や気密を向上させるためのパッキング材であり、同じく必要に応じて形成するものである。
【０００９】
なお、表面材１１０は金属板でもプラスチック板でもよく、硬質フォーム材１２０は主に硬質プラスチックの発泡体、さらに、裏面材１３０は金属板、金属箔、プラスチックシート、紙等のシート状のものであれば良い。
【００１０】
本発明に用いるタイル２００は図３に示すように、表面側となる化粧面２１０と化粧面裏面２２０と化粧面の裏面側に設けた上下の足２２１、２２２とから構成される。
【００１１】
上方の足２２１はその下面を下地板１００の掛止部１１６に引掛けてタイル２００を掛止するための引掛け片を兼ねるものである。また、下方の足２２２はタイル２００を下地板１００に接着剤で固定する際にタイル２００側の接着部ともなるものである。
【００１２】
また、ここでいうタイル２００とは一般的なタイルだけでなく、セラミック板やセメント板等でもよく、上記の形状のものであればよい。
【００１３】
上記の下地板１００とタイル２００とを用いての施工方法を説明する。下地板１００の固定用凹部１１７に固定具βを打ち込んで下地板１００を壁下地αに固定する。次に、固定した下地板１００の上方にある嵌合部１５１に次に連結する下地板１００の下方にある嵌合部１５２を嵌合させ、嵌合させた下地板１００の固定用凹部１１７に固定具βを打ち込んで下地板１００を壁下地αに固定することを繰り返す。下地板１００を左右に連結する際には、連結部の下に止水用の部材を予め固定しておくことが望ましい。
【００１４】
タイル２００は壁下地αに固定した下地板１００の掛止部１１６にタイル２００の引掛け片を兼ねる上方の足２２１を引掛けて掛止することで固定して壁面を形成する。
【００１５】
また、接着剤を用いる取付方法は、下地板１００を壁下地αに固定し、予め下地板１００ないしはタイル２００に接着剤Ｐを塗布してからタイル２００を下地板１００の掛止部１１６に引掛けて塗布部分を押圧することで固定し壁面を形成する。
【００１６】
なお、図２に示した１１９は接着剤位置決め部であり、予め形成しておくことで接着剤Ｐを塗布する際のガイドとなるが、これは必要に応じて形成するものである。
【００１７】
また、図１では接着剤Ｐが押圧されてタイルの下方の足２２２の上部に溢れているが、本発明はこれに限定されるものではない。
【産業上の利用可能性】
【００１８】
本発明によれば、特に寒冷地において、確実かつ容易かつ軽量にタイルを施工することができる。
【図面の簡単な説明】
【００１９】
【図１】本発明の取付方法に係る壁面の代表例を示す説明図である。
【図２】本発明の取付方法に係る下地板の代表例を示す説明図である。
【図３】本発明の取付方法に係るタイルの代表例を示す説明図である。
【符号の説明】
【００２０】
α  壁下地
β  固定具
Ｐ  接着剤
Ｑ  パッキング材
１００  下地板      
１１０  表面材      
１２０  硬質フォーム材    
１３０  裏面材            
１１５  掛止片            
１５１、１５２  嵌合部          
１１７  固定用凹部        
１１９  接着剤位置決め部    
１１６  掛止部
２００  タイル      
２１０  化粧面          
２２０  化粧面裏面      
２２１  上方の足（引掛け片）        
２２２  下方の足        
【図１】
2005282117.tif 000003
【図２】
2005282117.tif 000004
【図３】
2005282117.tif 000005